(57)【特許請求の範囲】
【請求項１】
天井面と壁面との入隅部を覆う廻縁カバーと、前記天井面、前記壁面に取り付けられ該廻縁カバーを着脱自在に取り付け固定するベース固定具とを含み、前記壁面に取り付けられるパネル材の上方に設けられる廻縁構造材であって、
前記廻縁カバーは、前記パネル材の上方の入隅部を覆うカバー本体と、該カバー本体の下方に設けられるとともに、前記パネル材の上端幅方向に設けられた切込溝に嵌め入れられ可撓性を有した材質からなる差込部とを備え、
前記ベース固定具には、電気配線を収容する配線部が固定され、
前記カバー本体は、垂直片部と、下片部と、上片部とを備え、前記下片部と前記上片部とが前記配線部に固定され、前記下片部に前記差込部が形成されていることを特徴とする廻縁構造材。
【請求項２】
請求項１において、
前記カバー本体の前面が、前記パネル材の前面と略面一となるように形成されていることを特徴とする廻縁構造材。
【請求項３】
請求項１または請求項２において、
前記カバー本体が硬質樹脂からなり、
前記差込部が軟質樹脂からなることを特徴とする廻縁構造材。
【発明の詳細な説明】
【技術分野】
【０００１】
本発明は、天井面と壁面との入隅部を覆う廻縁構造材に関する。
【背景技術】
【０００２】
従来より、天井高のばらつき、施工誤差を考慮して、壁面に沿って取り付けられるパネル材の高さ寸法を小さく設定し、パネル材の上方と天井面との入隅部の隙間を隠すための見切り部材として廻縁がその隙間に直接貼り付けたものが知られている。
しかしながら、この場合、一旦廻縁を入隅部に貼り付けると、パネル材を容易に着脱することができない点が問題となる。また、パネル材が調湿機能や消臭機能などの機能パネルで電気の供給を要する場合、廻縁に電源配線を這わせるための配線空間を備えたものが求められる。
【０００３】
下記特許文献１及び特許文献２には、着脱自在に構成され、配線用の空間を備え配線カバーが廻縁としての端部カバーを兼ねた構造のものが開示されている。
【先行技術文献】
【特許文献】
【０００４】
【特許文献１】特開２０１０−１８０５６１号公報
【特許文献２】特開２０１０−２０７０７６号公報
【発明の概要】
【発明が解決しようとする課題】
【０００５】
しかしながら、ここに開示されている端部カバーは、あくまでパネル材の端部を覆うためのカバーであり、パネル材の上端と天井面との入隅部を覆う廻縁カバーとして適用できるものではなかった。
【０００６】
本発明は、上記実情に鑑みてなされたものであり、施工後においてもパネル材の着脱を容易に行うことができる廻縁構造材を提供することを目的としている。
【課題を解決するための手段】
【０００７】
上記目的を達成するために、本発明に係る廻縁構造材は、天井面と壁面との入隅部を覆う廻縁カバーと、前記天井面、前記壁面に取り付けられ該廻縁カバーを着脱自在に取り付け固定するベース固定具とを含み、前記壁面に取り付けられるパネル材の上方に設けられる廻縁構造材であって、前記廻縁カバーは、前記パネル材の上方の入隅部を覆うカバー本体と、該カバー本体の下方に設けられるとともに、前記パネル材の上端幅方向に設けられた切込溝に嵌め入れられ可撓性を有した材質からなる差込部とを備え、前記ベース固定具には、電気配線を収容する配線部が固定され、前記カバー本体は、垂直片部と、下片部と、上片部とを備え、前記下片部と前記上片部とが前記配線部に固定され、前記下片部に前記差込部が形成されていることを特徴とする。
【０００８】
また本発明において、前記カバー本体の前面が、前記パネル材の前面と略面一となるように形成されるようにしてもよい。
さらに本発明において、前記カバー本体が硬質樹脂からなり、前記差込部が軟質樹脂からなるようにしてもよい。
【発明の効果】
【０００９】
本発明に係る廻縁構造材は、上述の構成としているので、施工後においてもパネル材の着脱を容易に行うことができる。
【図面の簡単な説明】
【００１０】
【図１】本発明の一実施形態に係る廻縁構造材を説明するための模式的断面図である。
【図２】（ａ）及び（ｂ）は同廻縁構造材の廻縁カバーを説明するための模式的断面図である。
【図３】同廻縁構造材を説明するための模式的斜視図である。
【発明を実施するための形態】
【００１１】
以下に本発明の実施の形態について、図面に基づいて説明する。
本実施形態に係る配線構造材１は、天井面１０と壁面１１との入隅部１２を覆う廻縁カバー２を含み、壁面１１に取り付けられるパネル材７の上方７０に設けられる。廻縁構造材１の廻縁カバー２は、パネル材７の上方７０の入隅部１２を覆うカバー本体３と、カバー本体３の下方に設けられるとともに、パネル材７の上端幅方向に設けられた切込溝７１に嵌め入れられ可撓性を有した材質からなる差込部４とを備えている。
以下、詳しく説明する。
【００１２】
廻縁構造材１は、屋内空間における壁部を構成する壁面１１と、屋内空間における天井部を構成する天井面１０とが交差する天井側の入隅部１２に沿ってパネル材７の上方に横方向に配設される。
廻縁構造材１は、入隅部１２を覆うようにして設けられる廻縁カバー２と、廻縁カバー２を着脱自在に取り付け固定するベース固定具５とを備えている。
図例の廻縁構造材１は、ベース固定具５で支持され、各種電気機器の電気配線９を収容し這わせる空間となる配線部６に廻縁カバー２が着脱自在とされた例を示している。
【００１３】
廻縁カバー２は、カバー本体３と差込部４とを備えている。
図２（ａ）等に示すように、カバー本体３は、垂直片部３ａと、下片部３ｂ、上片部３０、結合部３１，３２を備えている。図中、３ａａは垂直片部３ａの前面を示している。
垂直片部３ａは、平板状に形成され略垂直状態で取り付けられるように形成され、これにより入隅部１２、ベース固定具５、配線部６が覆われる。
下片部３ｂは、垂直片部３ａの下端から背面側（壁面１１側）に向けて延出して形成されている。下片部３ｂは、背面側に向けて延出して形成された片の途中から二股に分かれており、これら２股に分かれた片で結合部３１，３２が形成されている。結合部３１，３２は、図１・Ｘ部拡大図に示すように配線部６の突条部６６を上下から包持するように形成され、突条部６６に嵌め合わされることにより、カバー本体３を所定の位置で固定し保持している。容易に突条部６６との嵌め合い関係が解除されないように、突条部６６には上下面にビード部６６ａ，６６ａが横方向に連なって形成されているとともに、結合部３１，３２の先側端部には、抜け止めとなる突起部３１ａ，３２ａが横方向に連なって形成されている。
なお、この突条部６６と結合部３１，３２の結合構造は図例に限定されるものではなく、廻縁カバー２が着脱自在に構成される構造であればよい。したがって、突条部６６及び結合部３１，３２が横方向に連なって形成される例に限定されず、部分的に適宜間隔を空けて設けられる構造であってもよい。
【００１４】
上片部３０は、垂直片部３ａの上方途中部位から背面側に向けて延出して形成されている。上片部３０の先側には、他の部位より厚肉とされた係止部３０ａが形成されている。この係止部３０ａは、後記する配線部６の配線ベース上側片部６０の屈曲部６０ａに対して上側から引っ掛かって係止されるように形成され、これにより、垂直片部３ａを前方に倒れないように固定し保持している。
【００１５】
カバー本体３は、ポリプロピレンや、ＡＢＳ（アクリロニトリルブタジエンスチレン）、ポリエチレンテレフタレート、ポリカーボネート、ＰＰＳ（ポリフェニレンサルファイド）等の合成樹脂材料を主材とした材料からなるものとすることができる。押出成形や射出成形、切削加工等によって一体的に成形された合成樹脂製とされ、硬質樹脂からなることが望ましい。またアルミニウムやステンレス、炭素鋼等の適宜の金属材料から押出成形やプレス成形、鋳造成形または切削加工等によって一体的に成形された金属材からなるものとしてもよい。
カバー本体３における垂直片部３ａの前面３ａａとパネル材７の前面７ａとの位置関係は特に限定されるものではないが、図１等に示すように略面一（略同一平面）になるように形成してもよい。
この場合、カバー本体３が出っ張りすぎることなく意匠性をよくすることができる。また、このカバー本体３内に、電気配線９を収容する空間を確保することができる。
【００１６】
差込部４は、カバー本体３の下方に設けられ、図２（ｂ）に示すように切込溝７１に嵌め入れたり、また廻縁カバー２を取り外すときには、差込部４がしなって屈曲し廻縁カバー２が外し易いように可撓性を有した材質からなる。したがって、例えば軟質樹脂からなるものが望ましく、この他、ゴム等からなるものとしてもよい。差込部４の厚み寸法は、切込溝７１内に納まる厚み寸法であればよい。
カバー本体３を硬質樹脂、差込部４を軟質樹脂からなるものとした場合は、同時に加工成型がしやすく、コストメリットも期待できる。
差込部４は、図１・Ｘ部拡大図に示すようにカバー本体３の下片部３ｂにおける結合部３１、３２への分岐部位近傍で、カバー本体３と接合されている。このカバー本体３と差込部４との接合方法は、特に限定されないが、同時成型により接合するようにしてもよいし、接着剤により接合するようにしてもよい。
【００１７】
以上のように廻縁カバー２は、上述の配線ベース上側片部６０の屈曲部６０ａと、突条部６６との係止或いは結合によって着脱自在とされている。すなわち、ねじなどの固定具を要することなく、容易に廻縁カバー２の着脱を行うことができる。また差込部４が可撓性を有した材質からなり、差込部４のみを容易に屈曲させることができるので、パネル材７をパネル固定用柱８に取り付け固定するとともに後記するベース固定具５及び配線部６を入隅部１２に取り付け後に、図２（ｂ）に示すように廻縁カバー２のみを後付けすることができる（図２（ｂ）のｄ２矢印方向参照）。
またパネル材７及び廻縁構成材１を取り付けた後に、垂直片部３ａを前方向に倒せば、差込部４がしなって屈曲し、廻縁カバー２のみを取り外すことができる（図２（ｂ）のｄ１矢印方向参照）。
【００１８】
差込部４は、図３の点線４０に示すようにパネル材７の幅寸法に合わせて切り込みを入れてもよい。
この場合、パネル材７を配設して入隅部１２に廻縁カバー２を取り付けた後でも、パネル材７の幅寸法に合わせて切込みが入っているため、例えばパネル材７を一枚だけ容易に取り外すことができる。したがって、パネル材７にメンテナンスや取替えが必要な場合などに廻縁カバー２を取り外すことなく、パネル材７の着脱を行うことができる。
【００１９】
ベース固定具５は、廻縁カバー２を着脱自在に取り付け固定し保持するため、ベース構造材として構成される。ベース固定具５は、略水平に延びる水平片部５０と、略鉛直下方に延びる鉛直片部５１とを有し、縦断面形状が略Ｌ字状とされている。ベース固定具５は図３に示すように、横方向に延びる廻縁カバー２を部分的に固定し支持できるように適宜間隔を空けて複数設けられる。
ベース固定具５は、アルミニウムやステンレス、炭素鋼等の適宜の金属材料から押出成形やプレス成形、鋳造成形または切削加工等によって一体的に成形された金属製とされる他、硬質の合成樹脂製としてもよい。
ベース固定具５の水平片部５０は、図１及び図３に示すように固定具挿通孔５０ａが形成され、ねじ等の固定具８ａ，８aによって天井面１０に沿って取り付けられ固定される。水平片部５０の先端部（手前側端部）は、カバー本体３の垂直片部３ａの裏面に接触した状態で設けられている。
【００２０】
ベース固定具５の鉛直片部５１は、壁面１１に沿って配設され、その裏面が壁面１１の表面に当接するように取り付けられる。鉛直片部５１には、水平方向（手前側）に突出するとともに上方に向けて屈曲させるように鉤状に形成された配線ベース受部５２，５２が設けられている。上下２箇所に形成された配線ベース受部５２，５２のうち、上方側の配線ベース受部５２には、後記する配線ベース上側片部６０の壁面１１側端部の係止部６３が係止される。下方側の配線ベース受部５２には、立壁部６２に形成された係止部６３が係止される。鉛直片部５１の配線ベース受部５２と配線ベース受部５２との間には、横方向に適宜間隔を空けて複数の固定具挿通孔（不図示）が形成されており、ねじ等の固定具８ｂにより壁面１１にベース固定具５が固定される。
下方側に形成された配線ベース受部５２の前方に突出した部位から下方に向けて略垂直方向には、垂下片部５３がさらに形成されている。垂下片部５３には、配線部６を固定し保持するための固定具８ｃ（図１参照）が挿通される固定具挿通孔（不図示）が、横方向に適宜間隔を形成されている。
【００２１】
配線部６は、ベース固定具５と廻縁カバー２との間に形成される空間に利用して設けられ、その構成は特に限定されるものではないが、図例のものは、２段に電気配線を這わせることができるように構成されている。
配線部６は、壁面１１に沿って床面（不図示）に立設されたパネル固定用柱８の上端部に取り付けられる水平基部６４と、水平基部６４から略垂直に立設した状態に形成された立壁部６２とを備えている。
立壁部６２を挟んでカバー本体３の垂直片部３ａ側には、配線ベース上側片部６０と、配線ベース片部６１，６１とが形成されている。また、立壁部６２を挟んで壁面１１側に、係止部６３，６３が形成されている。水平基部６４の前後両端部には、下方に向けて屈曲するように形成された基部係止部６５，６７と、カバー本体３の結合部３１，３２間に嵌め入れられる突条部６６とが形成されている。基部係止部６５，６７は、パネル材７を固定するパネル固定用柱８に取り付けられた固定部材１３の上端部に形成された係止部１３ａに係止され、これにより、廻縁構造材１がパネル固定用柱８に固定される。
突条部６６の形状は特に限定されるものではないが、図例のものは結合部３１，３２間に強固に嵌め入れられるよう上下方向に突出した断面山型のビード部６６ａ，６６ａが形成されている（図１・Ｘ部拡大図参照）。
【００２２】
配線ベース上側片部６０は、水平方向に形成され、配線ベース上側片部６０の垂直片部３ａ側端部には、カバー本体３における上片部３０の係止部３０ａが係止されるように屈曲して形成された屈曲部６０ａが形成されている。
また立壁部６２より垂直片部３ａに向かって略水平に平板状の配線ベース片部６１，６１が棚状に上下に２段形成されており、ここには、電気機器などの情報線を含む電気配線９，９が配設される。パネル材７が面状ヒータ（不図示）などを備えた暖房パネルである場合や、調湿機能などを備えた機能パネルである場合など、給電を必要とするパネル材７である場合は、この配線ベース片部６１，６１に電気配線を這わせることができる。
さらに配線ベース上側片部６０の壁面１１側端部と、立壁部６２の略中央部位には、上述したように配線ベース受部５２，５２に係止されるように下方に向けて屈曲させるように鉤状に形成された係止部６３，６３が形成されている。
配線部６は、上述したような硬質樹脂からなるものとしてもよいし、金属材料からなるものであってもよい。
【００２３】
パネル材７は、図１及び図３に示すように、壁面１１の表面に沿って設けられ、壁面１１の適所に設けられたパネル固定用柱８に取り付けられた固定部材１３や不図示の取付部材によって立設されている。パネル材７は、縦方向に長尺の板状体とされ、その上端幅方向に凹状の切込溝７１が形成されている。
切込溝７１の深さ寸法は特に限定されるものではないが、差込部４の先側４ａ（図１参照）が納まる深さに切込み形成されていればよく、先側４ａと切込溝７１との間に隙間があれば、廻縁カバー２を着脱する際の遊び部分となり、着脱がしやすくなる。
【００２４】
次に、上記構成された廻縁構造材１の施工手順の一例を説明する。
まず、天井面１０と壁面１１との入隅部１２にベース固定具５を適宜、間隔を空けて固定具８ａ，８ｂによって取り付けていく。
続いて、パネル固定用柱８に取り付けられた固定部材１３の係止部１３ａに、配線部６の基部係止部６５，６７を係止させるとともに、ベース固定具５の配線ベース受部５２，５２に、配線部６の上端に配線部６の係止部６３，６３を係止し、この状態で固定具８ｃにより配線部６をベース固定具５に固着する。  
【００２５】
そして廻縁構造材１内に収容する電気配線９、９を配線ベース片部６１，６１に這わせ、この状態で、廻縁カバー２を取り付ける。
廻縁カバー２を取り付ける際には、まず、図２（ｂ）に示すように切込溝７に差込部４を嵌め入れる。そして結合部３１，３２間に突条部６６を嵌め入れ、その後、カバー本体３の垂直片部３ａを壁面１１側に押し込めば（図２・ｄ２矢印方向）、上片部３０の係止部３０ａが、配線ベース上側片部６０の屈曲部６０ａに係止され、図１及び図３に示すように廻縁構造材１を入隅部１２に納まりよく簡易に取り付けることができる。
【００２６】
ここでは予めパネル材７を設置した後に廻縁構造材１を取り付ける例を説明したが、廻縁構造材１を取り付けた後にパネル材７を設置してもよいし、ベース固定具５を入隅部１２に取り付けた後、パネル材７を取り付け、配線部６、廻縁カバー２の順に取り付けてもよい。すなわち、上述の廻縁構造材１によれば、差込部４が可撓性を有した材質からなるので、様々な施工手順にも対応することができる。
【００２７】
以上、上述の実施形態に係る廻縁構造材１、廻縁カバー２、ベース固定具５、配線部６、パネル材７等の構成、形状は図例に限定されるものではない。例えばパネル材７は、上述の給電が必要なものに限られず、表面化粧板等を積層した化粧壁パネルとしてもよい。
【符号の説明】
【００２８】
１  廻縁構造材
２  廻縁カバー
３  カバー本体
３ａａ  前面
４  差込部
７  パネル材
７１  切込溝
１０  天井面
１１  壁面
１２  入隅部
【図１】
0005799241.tif 000002
【図２】
0005799241.tif 000003
【図３】
0005799241.tif 000004